(57)【要約】【課題】本発明の主な目的は、所定の箇所に連続的に振動を与え続けることができる振動装置を提供することである。【解決手段】  振動装置１００は、長手方向に延在する筒形状からなる第１筐体２００と、少なくとも第１筐体２００の一部を振動させる第１振動体２１０と、第１筐体２００に取り付けられ、長手方向に沿ってスライド移動可能な第２筐体３００と、少なくとも第２筐体３００の一部を振動させる第２振動体３１０と、を含むものである。【選択図】図１
2020108625.tif 000002
【特許請求の範囲】
【請求項１】
長手方向に延在する筒形状からなる第１筐体と、
少なくとも前記第１筐体の一部を振動させる第１振動体と、
前記第１筐体に取り付けられ、前記長手方向に沿ってスライド移動可能な第２筐体と、
少なくとも前記第２筐体の一部を振動させる第２振動体と、を含む、振動装置。
【請求項２】
長手方向に延在する筒形状からなる第１筐体と、
少なくとも前記第１筐体の一部を振動させる第１振動体と、
前記第１筐体に取り付けられ、前記長手方向に沿って伸縮移動可能な第２筐体と、
少なくとも前記第２筐体の一部を振動させる第２振動体と、を含む、振動装置。
【請求項３】
長手方向に延在する筒形状からなり、前記筒径を拡縮変動させる第１筐体と、
少なくとも前記第１筐体の一部を振動させる第１振動体と、
前記第１筐体に取り付けられる第２筐体と、
少なくとも前記第２筐体の一部を振動させる第２振動体と、を含む、振動装置。
【請求項４】
前記第１筐体に取り付けられ、前記長手方向に沿ってスライド移動または伸縮移動可能な第３筐体と、
前記第３筐体の一部を振動させる第３振動体と、をさらに含む、請求項１から３のいずれか１項に記載の振動装置。
【請求項５】
前記筒形状は、少なくとも一部が円筒形状からなる、請求項１から３のいずれか１項に記載の振動装置。
【請求項６】
前記第１筐体および前記第２筐体は、少なくとも樹脂、ＡＢＳ樹脂およびシリコン樹脂のうちいずれか１つまたは複数の素材から形成される、請求項１から５のいずれか１項に記載の振動装置。
【請求項７】
前記第１振動体、前記第２振動体の動作をオンオフするスイッチをさらに含む、請求項１から６のいずれか１項に記載の振動装置。
【発明の詳細な説明】
【技術分野】
【０００１】
本発明は、振動装置に関する。
【背景技術】
【０００２】
例えば、特許文献１（特開２０１６−１４４５４６号公報）には、振動力と磁気力の双方を身体へ印加することにより、短時間で自然治癒力を引き出して、身体の血液循環を大幅に向上させ、コリによる痛みや不快感を軽減させるマッサージ器について開示されている。
【０００３】
特許文献１記載のマッサージ器においては、振動体と、該振動体に内蔵あるいは外付け固定された電磁気発生コイルと、電磁気発生コイルに周期的にパルス信号を送り込むパルスジェネレータと、前記電磁気発生コイルが振動体の振動と共に振動すると共に、前記パルスジェネレータのパルス信号によって発生する電磁場が周期的に変化することを特徴とするものである。
【０００４】
また、特許文献２（特表２００８−５２８０８９号公報）には、特に性器の領域に快感及び／又は治療の刺激を与えるのに使用する、振動刺激装置について開示されている。
【０００５】
特許文献２記載の振動刺激装置においては、比較的弾力性のある材料でできた円錐体と、機械的振動を発生させるための装置に電力を供給する手段と、を備え、前記装置が、円錐体内部であって円錐体の先端部の比較的近傍に、設けられていることを特徴とするものである。
【先行技術文献】
【特許文献】
【０００６】
【特許文献１】特開２０１６−１４４５４６号公報
【特許文献２】特表２００８−５２８０８９号公報
【発明の概要】
【発明が解決しようとする課題】
【０００７】
しかしながら、従来の振動体では、振動体の一部が移動した場合、一部の箇所に連続的に適切に振動を与え続けることが困難であった。
【０００８】
本発明の主な目的は、所定の箇所に連続的に振動を与え続けることができる振動装置を提供することである。
本発明の他の目的は、一の振動部位が移動した場合に、他の振動部位が所定の箇所に連続的に振動を与え続けることができる振動装置を提供することである。
【課題を解決するための手段】
【０００９】
（１）
一局面に従う振動装置は、長手方向に延在する筒形状からなる第１筐体と、少なくとも第１筐体の一部を振動させる第１振動体と、第１筐体に取り付けられ、長手方向に沿ってスライド移動可能な第２筐体と、少なくとも第２筐体の一部を振動させる第２振動体と、を含むものである。
【００１０】
この場合、第１筐体に取り付けられた第２筐体がスライド移動することができる。その結果、第１筐体が第１振動体により振動され、第２筐体が第２振動体により振動される。第１筐体と第２筐体との相対位置が変化した場合であっても、所定の箇所に第１筐体と第２筐体との少なくとも一方が振動を供与することができる。
【００１１】
（２）
他の局面に従う振動装置は、長手方向に延在する筒形状からなる第１筐体と、少なくとも第１筐体の一部を振動させる第１振動体と、第１筐体に取り付けられ、長手方向に沿って伸縮移動可能な第２筐体と、少なくとも第２筐体の一部を振動させる第２振動体と、を含むものである。
【００１２】
この場合、第１筐体に取り付けられた第２筐体が伸縮移動することができる。その結果、第１筐体が第１振動体により振動され、第２筐体が第２振動体により振動される。第１筐体と第２筐体との相対位置が変化した場合であっても、所定の箇所に第１筐体と第２筐体との少なくとも一方が振動を供与することができる。
【００１３】
（３）
さらに他の局面に従う振動装置は、長手方向に延在する筒形状からなり、筒径を拡縮変動させる第１筐体と、少なくとも第１筐体の一部を振動させる第１振動体と、第１筐体に取り付けられる第２筐体と、少なくとも第２筐体の一部を振動させる第２振動体と、を含むものである。
【００１４】
この場合、第１筐体の径の一部が拡縮変動することができる。その結果、第１筐体が第１振動体により振動され、第２筐体が第２振動体により振動される。第１筐体と第２筐体との外径の相対位置が変化した場合であっても、所定の箇所に第１筐体と第２筐体との少なくとも一方が振動を供与することができる。
【００１５】
（４）
第４の発明にかかる振動装置は、一局面からさらに他の局面のいずれかにかかる振動装置において、第１筐体に取り付けられ、長手方向に沿ってスライド移動または伸縮移動可能な第３筐体と、第３筐体の一部を振動させる第３振動体と、をさらに含んでもよい。
【００１６】
この場合、第３筐体を含むので、さらに第１筐体と第２筐体と異なる位置で、第３振動体を介して第３筐体の一部を振動させることができる。
【００１７】
（５）
第５の発明にかかる振動装置は、一局面からさらに他の局面のいずれかにかかる振動装置において、筒形状は、少なくとも一部が円筒形状からなってもよい。
【００１８】
振動装置の筒形状は、一部が円筒形状からなるので、手で持ちやすくものとなる。すなわち、角または平面がない、または少ないため、違和感を低減することができる。
【００１９】
（６）
第６の発明にかかる振動装置は、一局面から第５の発明のいずれかにかかる振動装置において、第１筐体および第２筐体は、少なくとも樹脂、ＡＢＳ樹脂およびシリコン樹脂のうちいずれか１つまたは複数の素材から形成されてもよい。
【００２０】
この場合、振動装置の筐体の素材が、柔らかい、または変形可能な素材、すなわち、人肌を傷つけにくい素材からなるので、不快感を減少させることができる。
【００２１】
（７）
第７の発明にかかる振動装置は、一局面から第６の発明にかかる振動装置において、第１振動体、第２振動体の動作をオンオフするスイッチをさらに含んでもよい。
【００２２】
この場合、振動装置の第１筐体、第２筐体、または第３筐体の振動の周波数、振幅、それらの変動の反復、増減等をスイッチでオンオフすることができる。
【図面の簡単な説明】
【００２３】
【図１】第１の実施の形態にかかる振動体の一例を示す模式的図である。
【図２】図１に示す振動体の構造の一例を示す模式図である。
【図３】図１に示す振動体の動きの一例を示す模式図である。
【図４】第２の実施の形態にかかる振動体の一例を示す模式図である。
【図５】図４に示す振動体の構造の一例を示す模式図である。
【図６】図４に示す振動体の動きの一例を示す模式図である。
【図７】第３の実施の形態にかかる振動体の他の例を示す模式図である。
【図８】図７に示す振動体の構造の他の例を示す模式図である。
【図９】図７に示す振動体の動きの一例を示す模式図である。
【図１０】第４の実施の形態にかかる振動体の他の例を示す模式図である。
【図１１】図１０に示す振動体の構造の他の例を示す模式図である。
【図１２】図１０に示す振動体の構造の他の例を示す模式図である。
【発明を実施するための形態】
【００２４】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００２５】
［第１実施の形態］
図１は、第１の実施の形態にかかる振動体１００の一例を示す模式的斜視図であり、図２は、図１に示す振動体１００の構造の一例を示す模式図である。
【００２６】
図１および図２に示すように、振動体１００は、第１筐体２００、第２筐体３００、スイッチ４００、およびスライド機構５００を含む。
【００２７】
第１筐体２００は、一方向に延在して形成された部材からなる。第１筐体２００は、円筒形状に類似した形状からなる。第１筐体２００の内部には、第１振動体２１０が設けられている。第１筐体２００の中央部にスライド機構５００が設けられている。第１筐体２００に設けられたスライド機構５００を介して第２筐体３００が取り付けられる。
【００２８】
第２筐体３００は、第１筐体２００の延在する一方向と垂直交差方向に延在するとともに屈曲して第１筐体２００の一方向と並行に延在する。すなわち、第２筐体３００は、Ｌ字形状の部材からなる。第２筐体３００の内部には、第２振動体３１０が設けられている。
【００２９】
図１および図３に示すように、スライド機構５００は、第１筐体２００に対して第２筐体３００を並行の状態で移動可能としている。
【００３０】
スイッチ４００を操作することにより、第１振動体２１０のみ、第２振動体３１０のみ、第１振動体２１０および第２振動体３１０の両方を切り換えることができる。
また、スイッチ４００を操作することにより、スライド機構５００によるスライド動作のオンオフを切り替えることができる。
また、スイッチ４００の操作により、第１振動体２１０、第２振動体３１０の振動周波数または振幅を変化させることができる。さらに、スライド機構５００のスライド移動量、スライド移動速度等を変化させることができる。
【００３１】
［第２実施の形態］
図４は、第２の実施の形態にかかる振動体１００の一例を示す模式図であり、図５は、図４に示す振動体１００の構造の一例を示す模式図であり、図６は、図４に示す振動体１００の動きの一例を示す模式図である。
【００３２】
以下、第２の実施の形態にかかる振動体１００が、第１の実施の形態にかかる振動体１００と異なる点についてのみ説明を行う。
【００３３】
図４または図５に示すように、振動体１００は、第３筐体６００を有する。第３筐体６００は、第２筐体３００と同様または類似した形状からなる。また、第２筐体３００と対となる部分の第１筐体２００に取り付けられている。
【００３４】
第３筐体６００の内部には、第３振動体６１０が設けられている。第３振動体６１０は、第１振動体２１０、第２振動体３１０と同様にスイッチ４００の操作により振動する。
また、図６に示すように、第３筐体６００は、スライド機構５００により第１筐体２００に対して並行の状態で移動可能に設けられる。
【００３５】
［第３実施の形態］
図７は、第３の実施の形態にかかる振動体１００の他の例を示す模式図であり、図８は、図７に示す振動体１００の構造の他の例を示す模式図であり、図９は、図７に示す振動体１００の動きの一例を示す模式図である。
【００３６】
以下、第３の実施の形態にかかる振動体１００が、第１、第２の実施の形態にかかる振動体１００と異なる点についてのみ説明を行う。
【００３７】
図７および図８に示すように、振動体１００は、スライド機構５００の代わりに伸縮機構５２０を含む。
伸縮機構５２０は、第２筐体３００を第１筐体の延在方向に沿った方向に伸長させたり、縮めたり、変化させることができる。
すなわち、第３の実施の形態にかかる振動体１００は、図７および図９で示すように、第２筐体２００を伸縮変化させることができる。
【００３８】
［第４実施の形態］
図１０は、第４の実施の形態にかかる振動体１００の他の例を示す模式図であり、図１１は、図１０に示す振動体１００の構造の他の例を示す模式図であり、図１２は、図１０に示す振動体１００の動きの一例を示す模式図である。
【００３９】
以下、第４の実施の形態にかかる振動体１００が、第１、第２、第３の実施の形態にかかる振動体１００と異なる点についてのみ説明を行う。
【００４０】
図１０および図１１に示すように、振動体１００は、スライド機構５００の代わりに、拡縮機構５５０を含む。
拡縮機構５５０は、第１筐体２００の一部の外周の径を拡大したり、縮小したり、変化させることができる。
すなわち、第４の実施の形態にかかる振動体１００は、図１０および図１２に示すように、第１筐体２００の大きさを変化させることができる。
なお、第４の実施の形態にかかる振動体１００においては、第１筐体２００は、伸縮可能な弾性体、シリコン素材から形成される。
【００４１】
また、第４の実施の形態にかかる振動体１００においては、第１筐体２００は、直径５ｍｍ以上直径１００ｍｍ以下の範囲内で変化することが好ましい。
また、第１筐体２００の拡縮は、一部拡大され、他部が縮小される形状であってもよい。
【００４２】
また、第４の実施の形態にかかる振動体１００は、第１筐体２００および第２筐体３００を有することとしているが、これに限定されず、第３筐体６００をさらに含んでいても良い。
【００４３】
以上のように、本発明にかかる振動体１００は、第１筐体２００を移動させた場合であっても、第２筐体３００の振動を供与することができる。なお、第１筐体２００および第２筐体３００、第３筐体６００を人体の肌に刺激、快感等を与えるのに使用してもよい。
【００４４】
また、スイッチ４００を第１筐体２００の端部側へ移動させた場合に、第２筐体３００を伸長動作させ、第１筐体の２００の端部側と逆方向へ移動させた場合に、第２筐体３００を短縮動作させてもよい。ここで、端部側とは、図１において第１筐体２００の長手方向におけるスイッチ４００が設けられている方である。
さらに、スイッチ４００を第１筐体２００の端部側へ移動させた場合に、第２筐体３００を端部側と逆側へスライド移動させ、スイッチ４００を第１筐体２００の端部側と逆方向へ移動させた場合に、第２筐体３００を端部側へスライド移動させてもよい。
【００４５】
本発明においては、振動装置１００が「振動装置」に相当し、第１筐体２００が、「第１筐体」に相当し、第１振動体２１０が、「第１振動体」に相当し、第２筐体３００が、「第２筐体」に相当し、第２振動体３１０が、「第２振動体」に相当し、第３筐体６００が、「第３筐体」に相当し、第３振動体６１０が、「第３振動体」に相当し、スイッチ４００が、「スイッチ」に相当する。
【００４６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００４７】
１００  振動装置
２００  第１筐体
２１０  第１振動体
３００  第２筐体
３１０  第２振動体
４００  スイッチ
５００  スライド機構
５２０  伸縮機構
５５０  拡縮機構
６００  第３筐体
６１０  第３振動体
【図１】
2020108625.tif 000003
【図２】
2020108625.tif 000004
【図３】
2020108625.tif 000005
【図４】
2020108625.tif 000006
【図５】
2020108625.tif 000007
【図６】
2020108625.tif 000008
【図７】
2020108625.tif 000009
【図８】
2020108625.tif 000010
【図９】
2020108625.tif 000011
【図１０】
2020108625.tif 000012
【図１１】
2020108625.tif 000013
【図１２】
2020108625.tif 000014